(57)【要約】【課題】秘密画像の隠蔽性を高めることが可能な削りカスが発生しないスクラッチ印刷物を提供する。【解決手段】印刷シート１００と、印刷シート１００上に金属より硬度の大きい材料を含む白色インキで印刷された秘密画像１１０であり、白色インキの印刷部分を金属でスクラッチすることにより着色されて現れる秘密画像１１０と、印刷シート１００上に秘密画像１１０に重ねてカラーインキで印刷された、行列状に配置された複数の円環模様１３０と、円環模様１３０に内接する菊花模様１５０とを備える。【選択図】図１
2007320293.tif 000002
【特許請求の範囲】
【請求項１】
印刷基材と、
前記印刷基材上に金属より硬度の大きい材料を含む白色インキで印刷された秘密画像であり、前記白色インキの印刷部分を金属でスクラッチすることにより着色されて現れる前記秘密画像と、
前記印刷基材上に前記秘密画像に重ねてカラーインキで印刷された、行列状に配置された複数の円環模様とを備える
ことを特徴とするスクラッチ印刷物。
【請求項２】
前記スクラッチ印刷物は、さらに、前記円環模様に内接する菊花模様を備える
ことを特徴とする請求項１に記載のスクラッチ印刷物。
【請求項３】
前記円環模様及び菊花模様は、同一色の模様である
ことを特徴とする請求項２に記載のスクラッチ印刷物。
【請求項４】
前記円環模様は、当該円環模様の周方向に沿って等間隔で分断されている
ことを特徴とする請求項３に記載のスクラッチ印刷物。
【発明の詳細な説明】
【技術分野】
【０００１】
本発明は、スクラッチ印刷物に関し、特にスクラッチにより隠蔽された秘密画像が着色されて現れるスクラッチ印刷物に関する。
【背景技術】
【０００２】
従来から、販売キャンペーン等においてスクラッチ印刷物が広く利用されている。このようなスクラッチ印刷物では、「当たり」、「外れ」若しくはそれらに該当する絵柄等の秘密画像が印刷基材上に印刷され、さらに秘密画像を隠蔽する隠蔽層が設けられる。そして、隠蔽層はコイン等でスクラッチオフ（剥離除去）され、印刷された秘密画像が視認可能な状態で現れる。従って、従来のスクラッチ印刷物では、隠蔽層をスクラッチオフする際に削りカスが発生するという問題があった。
【０００３】
このような問題を解決する技術として、例えば特許文献１に記載の印刷物がある。この印刷物では、秘密画像が金属よりも硬度の大きい材料を含むインキ組成物で印刷基材上に印刷される。そして、印刷部分をコインでスクラッチすると、コインの削り取られた金属で印刷部分が着色され、秘密画像が視認可能な状態で現れる。従って、この印刷物では、隠蔽層をスクラッチオフする際に削りカスが発生しない。
【特許文献１】特開昭６２−２９７１９６号公報
【発明の開示】
【発明が解決しようとする課題】
【０００４】
しかしながら、従来のスクラッチ印刷物では、スクラッチ印刷物に光を当てる方向によっては、印刷部分をスクラッチしていない状態（秘密状態）でも秘密画像が目視可能な状態となるという問題がある。
【０００５】
そこで、本発明は、かかる問題点に鑑み、秘密画像の隠蔽性を高めることが可能な削りカスが発生しないスクラッチ印刷物を提供することを目的とする。
【課題を解決するための手段】
【０００６】
上記目的を達成するために、本発明のスクラッチ印刷物は、印刷基材と、前記印刷基材上に金属より硬度の大きい材料を含む白色インキで印刷された秘密画像であり、前記白色インキの印刷部分を金属でスクラッチすることにより着色されて現れる前記秘密画像と、前記印刷基材上に前記秘密画像に重ねてカラーインキで印刷された、行列状に配置された複数の円環模様とを備えることを特徴とする。
【０００７】
ここで、前記スクラッチ印刷物は、さらに、前記円環模様に内接する菊花模様を備えてもよい。また、前記円環模様及び菊花模様は、同一色の模様であってもよい。さらに、前記円環模様は、等間隔で分断されていてもよい。
【０００８】
これによって、秘密画像に重ねて設けられた複数の円環模様によって、秘密状態にある秘密画像が目の錯覚により視認され難くなるので、秘密画像の隠蔽性を高めることができる。
【０００９】
また、秘密画像は、秘密画像により削り取られたコインの金属が秘密画像の表面に付着して着色されて現れるので、削りカスが発生しないスクラッチ印刷物を実現することができる。
【発明の効果】
【００１０】
本発明によれば、秘密画像の隠蔽性を高めることが可能な削りカスが発生しないスクラッチ印刷物を実現できるという効果が奏される。
【発明を実施するための最良の形態】
【００１１】
以下、本発明の実施の形態におけるスクラッチ印刷物について、図面を参照しながら説明する。
【００１２】
（第１の実施の形態）
図１（ａ）は、本実施の形態の商品引き換えカードのスクラッチ前の構成を示す平面図である。図１（ｂ）は、同商品引き換えカードのスクラッチ後の構成を示す平面図である。図２は、同商品引き換えカードの断面図（図１のＡ−Ａ’における断面図）である。なお、商品引き換えカードは、本発明のスクラッチ印刷物の一例である。
【００１３】
この商品引き換えカードは、白色の印刷シート１００、秘密画像１１０及びダミー画像１２０から構成される。
【００１４】
秘密画像１１０は、コインを構成する金属より硬度の大きい材料を含む白色インキを用いて印刷された透明の印刷画像である。このとき、白色インキに含まれる硬度の大きい材料としては、例えば酸化チタン、酸化アルミニウム、二酸化珪素及び酸化クロム等が用いられる。秘密画像１１０は、ダミー画像１２０に重ねて印刷シート１００上に印刷される。
【００１５】
ダミー画像１２０は、白色以外のカラーインキを用いて印刷シート１００上に印刷されたカラーの印刷画像である。このとき、カラーインキとしては、例えば黄色のインキが用いられる。ダミー画像１２０は、スクラッチ前において秘密画像１１０が視認され難くなるように、目の錯覚を引き起こす錯覚画像として機能し、かつスクラッチ後において視認可能な状態となった秘密画像１１０の背景画像として機能する。
【００１６】
図３は、ダミー画像１２０の詳細を説明するための図である。
ダミー画像１２０は、円環模様１３０、１４０と菊花模様１５０とから構成される。
【００１７】
円環模様１３０は、カラーの円環であり、行列状に複数配置されている。円環模様１４０は、円環模様１３０に外接する円環であって、互いに接するように行列状に複数配置されている。円環模様１４０は、円環模様１３０と異なるカラー、例えば白色の円環であり、複数の円環模様１４０の間は、円環模様１３０と同一のカラーで塗りつぶされている。
【００１８】
菊花模様１５０は、円環模様１３０に内接し、菊花を描くカラーの画線である。この画線のカラーは、円環模様１４０のカラーと同一である。
【００１９】
上記構成の商品引き換えカードでは、秘密画像１１０はスクラッチ前においては視認不可能な秘密状態にあり、秘密画像１１０がどのような画像であるかを認識できない（図１（ａ））。しかしながら、一旦、印刷シート１００における白色インキの印刷部分がコインでスクラッチされると、秘密画像１１０により削り取られたコインの金属が秘密画像１１０の表面に付着する。その結果、秘密画像１１０が着色されて現れ、秘密画像１１０が視認不可能な状態となり、秘密画像１１０が１、２及び３等の数字であることを認識できるようになる（図１（ｂ））。
【００２０】
以上のように、本実施の形態の商品引き換えカードによれば、秘密画像１１０にはダミー画像１２０が重ねて設けられ、ダミー画像１２０は図３で示した模様で構成される。よって、秘密状態にある秘密画像１１０が目の錯覚により視認され難くなるので、秘密画像の隠蔽性を高めることができる。
【００２１】
また、本実施の形態の商品引き換えカードによれば、秘密画像１１０は、秘密画像１１０により削り取られたコインの金属が秘密画像１１０の表面に付着して着色されて視認可能な状態で現れる。よって、削りカスが発生しない商品引き換えカードを実現することができる。
【００２２】
（第２の実施の形態）
本実施の形態の商品引き換えカードは、ダミー画像が図３で示した模様とは異なる模様で構成されるという点で第１の実施の形態の商品引き換えカードと異なる。以下、第１の実施の形態の商品引き換えカードと異なる点を中心に説明する。
【００２３】
図４は、ダミー画像２２０の詳細を説明するための図である。
ダミー画像２２０は、円環模様２３０、２４０と菊花模様２５０とから構成される。
【００２４】
円環模様２３０は、カラーの円環であり、行列状に複数配置されている。円環模様２３０は、その円周方向（図４のＡ方向）に沿って等間隔で分断されている。分断された円環模様２３の間は、円環模様２３０と異なるカラー、例えば白色で塗りつぶされている。
【００２５】
円環模様２４０は、円環模様２３０に外接する円環であって、互いに接するように行列状に複数配置されている。円環模様２４０は、分断された円環模様２３０の間のカラーと同一のカラーの円環である。
【００２６】
菊花模様２５０は、円環模様２３０に内接し、菊花を描くカラーの画線である。この画線のカラーは、円環模様２３０のカラーと同一である。菊花模様２５０を構成する花弁模様は、所定の間隔（図４におけるＢ）をおいて円環模様２３０の円周方向に沿って配置されている。
【００２７】
以上のように、本実施の形態の商品引き換えカードによれば、秘密画像１１０にはダミー画像２２０が重ねて設けられ、ダミー画像２２０は図４で示した模様で構成される。よって、秘密状態にある秘密画像１１０が視認され難くなるので、秘密画像の隠蔽性を高めることができる。また、可能な削りカスが発生しない商品引き換えカードを実現することができる。
【００２８】
以上、本発明の商品引き換えカードについて、実施の形態に基づいて説明したが、本発明は、この実施の形態の限定されるものではない。本発明の要旨を逸脱しない範囲内で当業者が思いつく各種変形を施したものも本発明の範囲内に含まれる。
【００２９】
例えば、ダミー画像が図５で示される模様で構成されてもよい。
【産業上の利用可能性】
【００３０】
本発明は、スクラッチ印刷物に利用でき、特に商品引き換えカード等に利用することができる。
【図面の簡単な説明】
【００３１】
【図１】本発明の第１の実施の形態の商品引き換えカードの構成を示す平面図である。
【図２】同実施の形態の商品引き換えカードの断面図（図１のＡ−Ａ’における断面図）である。
【図３】同実施の形態の商品引き換えカードのダミー画像の詳細を説明するための図である。
【図４】本発明の第２の実施の形態の商品引き換えカードのダミー画像の詳細を説明するための図である。
【図５】同実施の形態の商品引き換えカードのダミー画像の変形例の詳細を説明するための図である。
【符号の説明】
【００３２】
１００    印刷シート
１１０    秘密画像
１２０、２２０    ダミー画像
１３０、１４０、２３０、２４０    円環模様
１５０、２５０    菊花模様
【図１】
2007320293.tif 000003
【図２】
2007320293.tif 000004
【図３】
2007320293.tif 000005
【図４】
2007320293.tif 000006
【図５】
2007320293.tif 000007